(57)【要約】【課題】  本発明は不使用時には小さくして収納することができ、車での持ち運びが容易にでき、使用時には簡単に組み立てて使用することができる、多目的に使用することができるロースタを得るにある。【解決手段】  ベース体と、このベース体の両端部に着脱可能に取付けられた両端部フレームと、この両端部フレームの両側中央部寄りの部位に両端部が着脱可能に取付けられた一対の支持バーと、両端部フレームの上部寄りの部位に取付けられた一対の遮蔽板と、この一対の遮蔽板の一方の遮蔽板の中央部に内側へ突出する軸受を有し、外側にモータを用いた駆動装置と、この駆動装置の軸受部に回転の伝達が可能に支持されるとともに、一対の遮蔽板の他方の遮蔽板の中央部の支持部に支持される複数本のピンを用いた串具と、ベース体に支持された水等が収納されるトレーと、このトレーの上部で前記串具の下部位置の両端部フレームに着脱可能に取付けられた、該トレー内に下部が収納される炭箱とでロースタを構成している。【選択図】  図１
2006000391.tif 000002
【特許請求の範囲】
【請求項１】
ベース体と、このベース体の両端部に着脱可能に取付けられた両端部フレームと、この両端部フレームの両側中央部寄りの部位に両端部が着脱可能に取付けられた一対の支持バーと、前記両端部フレームの上部寄りの部位に取付けられた一対の遮蔽板と、この一対の遮蔽板の一方の遮蔽板の中央部に内側へ突出する軸受を有し、外側にモータを用いた駆動装置と、この駆動装置の軸受部に回転の伝達が可能に支持されるとともに、前記一対の遮蔽板の他方の遮蔽板の中央部の支持部に支持される複数本のピンを用いた串具と、前記ベース体に支持された水等が収納されるトレーと、このトレーの上部で前記串具の下部位置の前記両端部フレームに着脱可能に取付けられた、該トレー内に下部が収納される炭箱とからなることを特徴とするロースタ。
【請求項２】
ベース体は四角枠状のベース体本体と、このベース体本体の四隅部に回動可能に取付けられた両端部フレームの下部が着脱可能に取付けられる支持脚とで構成されていることを特徴とする請求項1記載のロースタ。
【請求項３】
駆動装置は一方の遮蔽板の外側面に取付けられる固定板に取付けられたパルスモータと、前記固定板に回転可能に取付けられた軸受と、この軸受に取付けられた大スプロケットと、前記パルスモータの駆動軸に取付けられた小スプロケットと、この小スプロケットと前記大スプロケットとに掛け渡されたチェーンとで構成されていることを特徴とする請求項1記載のロースタ。
【請求項４】
串具は一端部が駆動装置の軸受部に回転の伝達が可能に支持され、他端部が他方の遮蔽板の支持部に支持される中心ピンと、この中心ピンの先端部寄りの部位と後端部寄りの部位に回動不能に取付けられた外側方向に複数個のピン挿入孔が形成された一対のピン支持板と、この一対のピン支持板の任意のピン挿入孔に挿入することができる複数本のピンとで構成されていることを特徴とする請求項1記載のロースタ。
【発明の詳細な説明】
【技術分野】
【０００１】
本発明は鶏等を丸焼きあるいは塊の肉を焼くロースタに関する。
【背景技術】
【０００２】
従来のロースタはケースと、このケースに取付けられた駆動モータと、この駆動モータの駆動力によって回転するように、前記ケースに横架された串具と、この串具の下方に位置するように前記ケースの底面部位に載設され、かつ串具に刺された食べ物から落ちる油を受ける油受け皿と、この油受け皿の隣に配設された炭火燃焼器具とで構成されている。
【０００３】
このように構成されたロースタは大きいため、車に載せてキャンプ等で使用するために、気軽に持ち運ぶことができずらく、使用が限定されるという欠点があった。  
【特許文献１】実開昭６４−１１１４９
【発明の開示】
【発明が解決しようとする課題】
【０００４】
本発明は以上のような従来の欠点に鑑み、不使用時には小さくして収納することができ、車での持ち運びが容易にでき、使用時には簡単に組み立てて使用することができる、多目的に使用することができるロースタを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はベース体と、このベース体の両端部に着脱可能に取付けられた両端部フレームと、この両端部フレームの両側中央部寄りの部位に両端部が着脱可能に取付けられた一対の支持バーと、前記両端部フレームの上部寄りの部位に取付けられた一対の遮蔽板と、この一対の遮蔽板の一方の遮蔽板の中央部に内側へ突出する軸受を有し、外側にモータを用いた駆動装置と、この駆動装置の軸受部に回転の伝達が可能に支持されるとともに、前記一対の遮蔽板の他方の遮蔽板の中央部の支持部に支持される複数本のピンを用いた串具と、前記ベース体に支持された水等が収納されるトレーと、このトレーの上部で前記串具の下部位置の前記両端部フレームに着脱可能に取付けられた、該トレー内に下部が収納される炭箱とでロースタを構成している。
【発明の効果】
【０００７】
以上の説明から明らかなように、本発明にあっては次に列挙する効果が得られる。
【０００８】
（１）ベース体と、このベース体の両端部に着脱可能に取付けられた両端部フレームと、この両端部フレームの両側中央部寄りの部位に両端部が着脱可能に取付けられた一対の支持バーとを備えているので、ベース体、両端部フレーム、一対の支持バーとを着脱させて、不使用時には小さく収納することができる。
したがって、家庭での庭や，キャンプ等で車のトランク等に収納して持ち運び使用することができ、多目的に使用することができる。
【０００９】
（２）両端部フレームの上部寄りの部位に取付けられた一対の遮蔽板と、この一対の遮蔽板の一方の遮蔽板の中央部に内側へ突出する軸受を有し、外側にモータを用いた駆動装置とを備えているので、一方の遮蔽板の外側に駆動装置のモータ等を配置しているので、炭箱の炭火等の熱によってモータ等が損傷するのを効率よく防止することができる。
【００１０】
（３）前記（１）、（２）によって、構造が簡単であるので、容易に着脱でき、気軽に使用することができる。
【００１１】
（４）前記（１）、（２）によって、不使用時には小さく収納でき、使用時には駆動装置のモータで串具に刺された肉の塊を楽に焼くことができる。
【００１２】
（５）請求項２は前記（１）〜（４）と同様な効果が得られるとともに、組み立てや収納作業を容易に行なうことができる。
【００１３】
（６）請求項３は前記（１）〜（４）と同様な効果が得られるとともに、串具を均一に回転させて肉の塊を均一に焼くことができる。
【００１４】
（７）請求項４は前記（１）〜（４）と同様な効果が得られるとともに、肉の塊を確実に複数本のピンに刺して回転させることができる。
【発明を実施するための最良の形態】
【００１５】
以下、図面に示す本発明を実施するための最良の形態により、本発明を詳細に説明する。
【００１６】
図１ないし図１１に示す本発明を実施するための最良の第１の形態において、１は不使用時には分離して小さく収納することができる本発明のロースタで、このロースタ１は長方形状等の四角枠状のベース体本体２、このベース体本体２の四隅部に取付けられた取付け具３、３、３、３に、該ベース体本体２と重なり合うように枢支ピン４、４、４、４でそれぞれ９０度回動可能に枢支された角パイプ材製の支持脚５、５、５、５、該支持脚５、５、５、５の上部にそれぞれ形成された一対の係止片６、６、６、６とからなるベース体７と、このベース体７の両側部の支持脚５、５、５、５の一対の係止片６、６、６、６とそれぞれ着脱可能に係合し、該支持脚５、５、５、５の開口部を閉塞しない一対の係合部８、８、８、８を有する一対の支持バー９、９と、前記両端部の支持脚５、５、５、５に下端部が着脱可能に挿入される両端部フレーム１０、１０と、この両端部フレーム１０、１０の上部寄りの部位に複数本のビス１１等によって取付けられた一対の遮蔽板１２、１２と、この一対の遮蔽板１２、１２の一方の遮蔽板１２の中央部に形成された貫通孔１３と、前記一対の遮蔽板１２、１２の他方の遮蔽板１２の中央部に形成され外側部をカバー１４で覆われた貫通孔状の支持部１５と、前記一方の遮蔽板１２の外側面に複数本のビス１６等で取付けられた固定板１７、この固定板１７に回転可能に取付けられた、前記一報の遮蔽板１２の貫通孔１３を通過して内部に位置する筒状の軸受１８、この軸受１８の外側部に固定された大スプロケット１９、前記固定板１７に取付けられた商用電源で充電されるバッテリーで駆動されるパルスモータ２０、このパルスモータ２０の駆動軸２１に固定された小スプロケット２２および、この小スプロケット２２と前記大スプロケット１９とに掛け渡されチエーン２３とからなる駆動装置２４と、この駆動装置２４の軸受１８に一端部が割ピン２５等で係止され、他端部が他方の遮蔽板１２の支持部１５に回転可能に支持される中心ピン２６、この中心ピン２６の先端部寄りおよび後端部寄りの部位に割ピン２７、２７等で固定される外側方向に複数個のピン挿入孔２８、２８が形成されたバー状の一対のピン支持板２９、２９と、この一対のピン支持板２９、２９の任意のピン挿入孔２８、２８に挿入することができる複数本のピン３０、３０とからなる串具３１と、前記ベース体７のベース体本体２に支持される水等が収納されるトレー３２と、このトレー３２の上部で前記串具３１の下部位置の前記支持脚５、５、５、５に取付けられた炭箱支持片５ａ、５ａ、５ａ、５ａによって着脱可能に取付けられる、該トレー３２内に下部が収納される炭箱３３と、この炭箱３３に収納されるゴタク用メッシュ３４と、前記炭箱３３の上部に載置される火蓋３５と、前記駆動装置２４の外側部を覆う、前記一方の端部フレーム１０に複数本のビス３６で取付けられたカバー３７とで構成されている。
【００１７】
前記炭箱３３は端部の上部が順次外方へ傾斜する、前記ベース体本体２より小さい皿状の炭箱本体３８と、この炭箱本体３８の両端部に取付けられた先端部が水平方向で係止し、前記炭箱支持片５ａ、５ａ、５ａ、５ａに支持される回動可能な杷手３９、３９と、前記炭箱本体３８の両側面下部寄りの部位に所定間隔で形成された空気供給孔４０とで構成されている。
【００１８】
上記構成のロースタ１はベース体本体２に支持脚５、５、５、５を当接するようにたたんだベース体７、一対の支持バー９、９、両端部フレーム１０、１０にばらすことができ、組み立てもベース体７の支持脚５、５、５、５を立設し、一対の支持バー９、９を係止させた後、両端部フレーム１０、１０を支持脚５、５、５、５に差し込み固定する。
この状態で、串具３１に肉の塊４１を刺し、駆動装置２４の軸受１８と支持部１５に支持させるとともに、水を入れたトレー３２をベース体本体２に支持させ、炭箱３３も炭箱支持片５ａ、５ａ、５ａ、５ａに支持させ、該炭箱３３で炭を起こし、駆動装置２４を駆動させることにより、串具３１は一定回転で回転し、該串具３１に取付けられた肉の塊４１を均一に焼くことができる。
[発明を実施するための異なる形態]
【００１９】
次に、図１２ないし図２２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図１２ないし図１５に示す本発明を実施するための第２の形態において、前記本発明を実施するための最良の第１の形態と主に異なる点は、ベース体本体２Ａの四隅部に支持脚挿入孔４２、４２、４２、４２が挿入されたベース体７Ａとこのベース体７Ａの支持脚挿入孔４２、４２、４２、４２に支持される支持脚４３、４３、４３、４３が形成された両端部フレーム１０Ａ、１０Ａと、この両端部フレーム１０Ａ、１０Ａの両側ほぼ中央部に固定された頭部４４を有するボルト状の係止片４５、４５、４５、４５に両端部のＣ字状の係合部４６、４６、４６、４６が係合する一対の支持バー９Ａ、９Ａと、前記両端部フレーム１０Ａ、１０Ａの支字脚４３、４３、４３、４３に所定間隔でそれぞれ対向する支持脚方向に突出するように形成された複数個の炭箱支持片５ｂ、５ｂ、５ｂとを用いた点で、このように構成したロースタ１Ａにしても、前記本発明を実施するための最良の第１の形態と同様な作用効果が得られる。
【００２１】
図１６ないし図１９に示す本発明を実施するための第３の形態において、前記本発明を実施するための最良の第１の形態と主に異なる点は、両側上部が開口するように角パイプ材を用いて形成された両端部フレーム１０Ｂ、１０Ｂと、この両端部フレーム１０Ｂ、１０Ｂの両側部の開口１０ａ、１０ａ、１０ａ、１０ａに挿入されるコ字状の支持台４７、４７が両端部寄りの部位のテーブル４８の底面に固定されたリフレクター４９、４９を取付けられるようにした点で、このように構成したロースタ１Ｂにしても、前記本発明を実施するための最良の第１の形態と同様な作用効果が得られる。
【００２２】
図２０ないし図２２に示す本発明を実施するための第４の形態において、前記本発明を実施するための最良の第１の形態と主に異なる点は、支持脚５、５、５、５の上部に両端部フレーム１０、１０を一体的形成するとともに、一方の支持脚５、５や両端部フレーム１０と他方の支持脚５、５や両端部フレーム１０とが重ね状態で収納できるように、一方の支持脚５、５の取付け具３、３の枢支ピン４、４位置よりも他方の支持脚５、５の取付け具３、３の枢支ピン４、４位置を支持脚５、５の幅寸法分だけ位置をずらせて取付けるとともに、支持部１５の孔にカバー１４を差し込むだけで使用できるようにした点で、このように構成したロースタ１Cにしても、前記本発明を実施するための最良の第１の形態と同様な作用効果が得られるとともに、カバー１４を容易に取り外して、支持脚５、５、５、５の収納を容易に行うことが出来る。
【産業上の利用可能性】
【００２３】
本発明はロースタを製造する産業で利用される。
【図面の簡単な説明】
【００２４】
【図１】本発明を実施するための最良の第１の形態の正面図。
【図２】本発明を実施するための最良の第１の形態の平面図。
【図３】本発明を実施するための最良の第１の形態の右側面図。
【図４】本発明を実施するための最良の第１の形態の左側面図。
【図５】本発明を実施するための最良の第１の形態のベース体の説明図。
【図６】本発明を実施するための最良の第１の形態の支持バーの説明図。
【図７】本発明を実施するための最良の第１の形態の端部フレームの説明図。
【図８】本発明を実施するための最良の第１の形態の駆動装置の説明図。
【図９】本発明を実施するための最良の第１の形態の串具の説明図。
【図１０】本発明を実施するための最良の第１の形態の炭箱の説明図。
【図１１】本発明を実施するための最良の第１の形態の火蓋の説明図。
【図１２】本発明を実施するための第2の形態の形態の正面図。
【図１３】本発明を実施するための第2の形態のベース体の説明図。
【図１４】本発明を実施するための第2の形態の端部フレームの説明図。
【図１５】本発明を実施するための第２の形態の支持バーの説明図。
【図１６】本発明を実施するための第３の形態の形態の正面図。
【図１７】本発明を実施するための第３の形態の平面図。
【図１８】本発明を実施するための第３の形態の右側面図。
【図１９】本発明を実施するための第３の形態のリフレクターの説明図。
【図２０】本発明を実施するための第４の形態の正面図。
【図２１】本発明を実施するための第４の形態のベース体の説明図。
【図２２】本発明を実施するための第４の形態のカバーの取外しの説明図。
【符号の説明】
【００２５】
１、１Ａ、１Ｂ：ロースタ、          ２、２Ａ：ベース体本体、
３：取付け具、                      ４：枢支ピン、
５：支持脚、                                    ６：係止片、
７、７Ａ：ベース体、                ８：係合部、
９、９Ａ：支持バー、                １０、１０Ａ：端部フレーム、
１１：ビス、                        １２：遮蔽板、
１３：貫通孔、                      １４：カバー、
１５：支持部、                      １６：ビス、
１７：固定板、                      １８：軸受、
１９：大スプロケット、              ２０：パルスモータ、
２１：駆動軸、                      ２２：小スプロケット、
２３：チエーン、                    ２４：駆動装置、
２５：割ピン、                      ２６：中央ピン、
２７：割ピン、                      ２８：ピン挿入孔、
２９：ピン支持板、                  ３０：ピン、
３１：串具、                        ３２：トレー、
５ａ：炭箱支持片、                  ３３：炭箱、
３４：ゴタク用メッシュ、            ３５：火蓋、
３６：ビス、                        ３７：カバー、
３８：炭箱本体、                    ３９：杷手、
４０：空気供給孔、                  ４１：肉の塊、
４２：支持脚挿入孔、                ４３：支持脚、
４４：頭部、                        ４５：係止片、
４６：係合部、                      ４７：支持台、
４８：テーブル、                    ４９：リフレクター。
【図１】
2006000391.tif 000003
【図２】
2006000391.tif 000004
【図３】
2006000391.tif 000005
【図４】
2006000391.tif 000006
【図５】
2006000391.tif 000007
【図６】
2006000391.tif 000008
【図７】
2006000391.tif 000009
【図８】
2006000391.tif 000010
【図９】
2006000391.tif 000011
【図１０】
2006000391.tif 000012
【図１１】
2006000391.tif 000013
【図１２】
2006000391.tif 000014
【図１３】
2006000391.tif 000015
【図１４】
2006000391.tif 000016
【図１５】
2006000391.tif 000017
【図１６】
2006000391.tif 000018
【図１７】
2006000391.tif 000019
【図１８】
2006000391.tif 000020
【図１９】
2006000391.tif 000021
【図２０】
2006000391.tif 000022
【図２１】
2006000391.tif 000023
【図２２】
2006000391.tif 000024